(57)【特許請求の範囲】
【請求項１】
第１のモードにおけるユーザ機器（ＵＥ）の動作を指し示す第１の構成を受信することと、
前記第１の動作モードの電力動作制御機能を決定することと、
前記電力動作制御機能に少なくとも部分的に基づいてチャネルの優先順位付けをトリガすることと、ここにおいて、チャネルの優先順位付けをトリガすることはまた、どのチャネルが送信されているか、ならびに前記ＵＥがシングルキャリアのフォーマットで構成されているかどうかにも基づき、
前記第１の動作モードから生じる状態のＵＥにより生成されたレポートに基づく、第２のモードにおけるＵＥの動作を指し示す第２の構成を受信することと、
前記第２の動作モードを実行することと、
を備える、ワイアレス通信のための方法。
【請求項２】
前記決定することが、前記ＵＥが電力制限されているかどうかに応じて、前記第１の動作モードの電力動作制御機能を決定することを備える、請求項１に記載の方法。
【請求項３】
前記第１の動作モードが３ＧＰＰリリース１０であり、前記第２の動作モードが３ＧＰＰリリース８／９であり、ここにおいてそれぞれの動作モードがリリース特有の機能を含む、請求項１に記載の方法。
【請求項４】
前記レポートが電力ヘッドルームレポート、ＣＱＩ（チャネル品質インジケータ）レポート、及び測定レポートの少なくとも１つを備える、請求項１に記載の方法。
【請求項５】
前記チャネルの優先順位付けは電力スケーリングを有するシングルキャリアの優先順位のルール及び電力スケーリングを有するマルチキャリアの優先順位のルールの１つを含む、請求項１に記載の方法。
【請求項６】
前記チャネルの優先順位付けは、物理アップリンク共有チャネル（ＰＵＳＣＨ）上の無線リソース制御（ＲＲＣ）シグナリング及びメディアアクセス制御（ＭＡＣ）シグナリング、物理アップリンク制御チャネル（ＰＵＣＣＨ）送信、及び非ＲＲＣ／ＭＡＣの物理アップリンク共有チャネル（ＰＵＳＣＨ）送信として、高い順位から低い順位への順序で、送信のための優先順位を割り当てる、請求項５に記載の方法。
【請求項７】
優先順位のルールの階層が、誤り訂正フィードバック信号、スケジューリング要求、ランクインジケータ、チャネル品質インジケータ（ＣＱＩ）レポート／プレコーディングマトリクスインジケータ（ＰＭＩ）信号、及びサウンディング基準信号として、高い優先順位から低い優先順位で、前記物理アップリンク制御チャネル（ＰＵＣＣＨ）内で構成される、請求項６に記載の方法。
【請求項８】
電力ヘッドルームレポートが予め決められた閾値を超えるとき、前記第１のモードから前記第２のモードへ動作モードを再構成することをさらに備える、請求項１に記載の方法。
【請求項９】
ユーザ機器（ＵＥ）の第１の動作モードの電力動作制御機能を決定することと、
前記電力動作制御機能に少なくとも部分的に基づいてチャネルの優先順位付けをトリガすることと、ここにおいてチャネルの優先順位付けをトリガすることはまた、どのチャネルが送信されているか、ならびに前記ＵＥがシングルキャリアのフォーマットで構成されているかどうかにも基づき、
前記第１の動作モードから生じる状態のＵＥにより生成されたレポートに基づく、第２のモードにおけるＵＥの動作を指し示す第２の構成を受信することと、
前記第２の動作モードを実行することと、
を備えるワイアレス通信のための方法。
【請求項１０】
前記決定することが、前記ＵＥが電力制限されているかどうかに応じて、前記第１の動作モードの電力動作制御機能を決定することを備える、請求項９に記載の方法。
【請求項１１】
前記第１の動作モードが３ＧＰＰリリース１０であり、前記第２の動作モードが３ＧＰＰリリース８／９であり、ここにおいてそれぞれの動作モードがリリース特有の機能を含む、請求項９に記載の方法。
【請求項１２】
前記レポートが電力ヘッドルームレポート、ＣＱＩ（チャネル品質インジケータ）レポート、及び測定レポートの少なくとも１つを備える、請求項９に記載の方法。
【請求項１３】
前記チャネルの優先順位付けは電力スケーリングを有するシングルキャリアの優先順位のルール及び電力スケーリングを有するマルチキャリアの優先順位のルールの１つを含む、請求項９に記載の方法。
【請求項１４】
前記チャネルの優先順位付けは、物理アップリンク共有チャネル（ＰＵＳＣＨ）上の無線リソース制御（ＲＲＣ）シグナリング及びメディアアクセス制御（ＭＡＣ）シグナリング、物理アップリンク制御チャネル（ＰＵＣＣＨ）送信、及び非ＲＲＣ／ＭＡＣの物理アップリンク共有チャネル（ＰＵＳＣＨ）送信として、高い順位から低い順位への順序で、送信のための優先順位を割り当てる、請求項１３に記載の方法。
【請求項１５】
優先順位のルールの階層が、誤り訂正フィードバック信号、スケジューリング要求、ランクインジケータ、チャネル品質インジケータ（ＣＱＩ）レポート／プレコーディングマトリクスインジケータ（ＰＭＩ）信号、及びサウンディング基準信号として、高い優先順位から低い優先順位で、前記物理アップリンク制御チャネル（ＰＵＣＣＨ）内で構成される、請求項１４に記載の方法。
【請求項１６】
電力ヘッドルームレポートが予め決められた閾値を超えるとき、前記第１のモードから前記第２のモードへ動作モードを再構成することをさらに備える、請求項９に記載の方法。
【請求項１７】
第１の動作モードの電力動作制御機能を決定するための手段と、
前記電力動作制御機能に少なくとも部分的に基づいてチャネルの優先順位付けをトリガするための手段と、ここにおいて、チャネルの優先順位付けをトリガすることはまた、どのチャネルが送信されているか、ならびに前記ＵＥがシングルキャリアのフォーマットで構成されているかどうかにも基づき、
前記第１の動作モードから生じる状態のＵＥにより生成されたレポートに基づく、第２のモードにおけるＵＥの動作を指し示す第２の構成を受信するための手段と、
前記第２の動作モードを実行するための手段と、
前記第１のモードにおけるユーザ機器（ＵＥ）の動作を指し示す第１の構成を受信するための手段と、
を備える、ワイアレス通信のための装置。
【請求項１８】
前記決定するための手段が、前記ＵＥが電力制限されているかどうかに応じて、前記第１の動作モードの電力動作制御機能を決定することを備える、請求項１７に記載の装置。
【請求項１９】
第１の動作モードの電力動作制御機能を決定するための手段と、
前記電力動作制御機能に少なくとも部分的に基づいてチャネルの優先順位付けをトリガするための手段と、ここにおいてチャネルの優先順位付けをトリガするための前記手段はまた、どのチャネルが送信されているか、ならびに前記ＵＥがシングルキャリアのフォーマットで構成されているかどうかにも基づいてトリガし、
前記第１の動作モードから生じる状態のＵＥにより生成されたレポートに基づく、第２のモードにおけるＵＥの動作を指し示す第２の構成を受信するための手段と、
前記第２の動作モードを実行するための手段と、
を備える、ワイアレス通信のための装置。
【請求項２０】
前記第１の動作モードが３ＧＰＰリリース１０であり、前記第２の動作モードが３ＧＰＰリリース８／９であり、ここにおいてそれぞれの動作モードがリリース特有の機能を含む、請求項１７に記載の装置。
【請求項２１】
前記レポートが電力ヘッドルームレポート、ＣＱＩ（チャネル品質インジケータ）レポート、及び測定レポートの少なくとも１つを備える、請求項１７に記載の装置。
【請求項２２】
前記チャネルの優先順位付けは電力スケーリングを有するシングルキャリアの優先順位のルール及び電力スケーリングを有するマルチキャリアの優先順位のルールの１つを含む、請求項１７に記載の装置。
【請求項２３】
前記チャネルの優先順位付けは、物理アップリンク共有チャネル（ＰＵＳＣＨ）上の無線リソース制御（ＲＲＣ）シグナリング及びメディアアクセス制御（ＭＡＣ）シグナリング、物理アップリンク制御チャネル（ＰＵＣＣＨ）送信、及び非ＲＲＣ／ＭＡＣの物理アップリンク共有チャネル（ＰＵＳＣＨ）送信として、高い順位から低い順位への順序で、送信のための優先順位を割り当てる、請求項２２に記載の装置。
【請求項２４】
優先順位のルールの階層が、誤り訂正フィードバック信号、スケジューリング要求、ランクインジケータ、チャネル品質インジケータ（ＣＱＩ）レポート／プレコーディングマトリクスインジケータ（ＰＭＩ）信号、及びサウンディング基準信号として、高い優先順位から低い優先順位で、前記物理アップリンク制御チャネル（ＰＵＣＣＨ）内で構成される、請求項２３に記載の装置。
【請求項２５】
電力ヘッドルームレポートが予め決められた閾値を超えるとき、前記第１のモードから前記第２のモードへ動作モードを再構成するための手段をさらに備える、請求項１７に記載の装置。
【請求項２６】
ワイアレスネットワークにおけるワイアレス通信のためのコンピュータプログラムであって、
第１の動作モードの電力動作制御機能を決定するためのプログラムコードと、
前記電力動作制御機能に少なくとも部分的に基づいてチャネルの優先順位付けをトリガするためのプログラムコードと、ここにおいて、チャネルの優先順位付けをトリガすることはまた、どのチャネルが送信されているか、ならびに前記ＵＥがシングルキャリアのフォーマットで構成されているかどうかにも基づき、
前記第１の動作モードから生じる状態のＵＥにより生成されたレポートに基づく第２の構成を受信するためのプログラムコードと、前記第２の構成は第２のモードにおけるＵＥの動作を指し示する、
前記第２の動作モードを実行するためのプログラムコードと、
前記第１のモードにおけるユーザ機器（ＵＥ）の動作を指し示す第１の構成を受信するためのプログラムコードと、
を備える、コンピュータプログラム。
【請求項２７】
ワイアレスネットワークにおけるワイアレス通信のためのコンピュータプログラムであって、
第１の動作モードの電力動作制御機能を決定するためのプログラムコードと、
前記電力動作制御機能に少なくとも部分的に基づいてチャネルの優先順位付けをトリガするためのプログラムコードと、ここにおいてチャネルの優先順位付けをトリガするための前記プログラムコードはまた、どのチャネルが送信されているか、ならびに前記ＵＥがシングルキャリアのフォーマットで構成されているかどうかにも基づく、
前記第１の動作モードから生じる状態のＵＥにより生成されたレポートに基づく第２の構成を受信するためのプログラムコードと、前記第２の構成は第２のモードにおけるＵＥの動作を指し示す、
前記第２の動作モードを実行するためのプログラムコードと、
を備える、コンピュータプログラム。
【請求項２８】
前記第１の動作モードの電力動作制御機能を決定するための前記プログラムコードは、前記ＵＥが電力制限されているかどうかに応じる、請求項２６に記載のコンピュータプログラム。
【請求項２９】
前記第１の動作モードが３ＧＰＰリリース１０であり、前記第２の動作モードが３ＧＰＰリリース８／９であり、ここにおいてそれぞれの動作モードがリリース特有の機能を含む、請求項２６に記載のコンピュータプログラム。
【請求項３０】
前記チャネルの優先順位付けは電力スケーリングを有するシングルキャリアの優先順位のルール及び電力スケーリングを有するマルチキャリアの優先順位のルールの１つを含む請求項２６に記載のコンピュータプログラム。
【請求項３１】
メモリと、
前記メモリに連結された少なくとも１つのプロセッサと、
を備えるワイアレス通信のための装置であって、前記少なくとも１つのプロセッサが、
第１の動作モードの電力動作制御機能を決定するように、
前記電力動作制御機能に少なくとも部分的に基づいてチャネルの優先順位付けをトリガするように、ここにおいて、チャネルの優先順位付けをトリガすることはまた、どのチャネルが送信されているか、ならびに前記ＵＥがシングルキャリアのフォーマットで構成されているかどうかにも基づき、
前記第１の動作モードから生じる状態のＵＥにより生成されたレポートに基づく第２の構成を受信するように、ここで、前記第２の構成が第２のモードにおけるＵＥの動作を指し示す、
前記第２の動作モードを実行するように、
前記第１のモードにおけるユーザ機器（ＵＥ）の動作を指し示す第１の構成を受信するように、
構成された、装置。
【請求項３２】
前記プロセッサが、前記ＵＥが電力制限されているかどうかに応じて、前記第１の動作モードの電力動作制御機能を決定するようにさらに構成された、請求項３１に記載の装置。
【請求項３３】
メモリと、
前記メモリに連結された少なくとも１つのプロセッサと、
を備えるワイアレス通信のための装置であって、前記少なくとも１つのプロセッサが、
第１の動作モードの電力動作制御機能を決定するように、
前記電力動作制御機能に少なくとも部分的に基づいてチャネルの優先順位付けをトリガするように、ここにおいて前記チャネルの優先順位付けをトリガすることはまた、どのチャネルが送信されているか、ならびに前記ＵＥがシングルキャリアのフォーマットで構成されているかどうかにも基づく、
前記第１の動作モードから生じる状態のＵＥにより生成されたレポートに基づく第２の構成を受信するように、ここで、前記第２の構成が第２のモードにおけるＵＥの動作を指し示す、
前記第２の動作モードを実行するように、
構成された、装置。
【請求項３４】
前記第１の動作モードが３ＧＰＰリリース１０であり、前記第２の動作モードが３ＧＰＰリリース８／９であり、ここにおいてそれぞれの動作モードがリリース特有の機能を含む、請求項３１に記載の装置。
【請求項３５】
前記レポートが電力ヘッドルームレポート、ＣＱＩ（チャネル品質インジケータ）レポート、及び測定レポートの少なくとも１つを備える、請求項３１に記載の装置。
【請求項３６】
前記チャネルの優先順位付けは電力スケーリングを有するシングルキャリア優先順位のルール及び電力スケーリングを有するマルチキャリア優先順位のルールの１つを含む請求項３１に記載の装置。
【請求項３７】
前記チャネルの優先順位付けは、物理アップリンク共有チャネル（ＰＵＳＣＨ）上の無線リソース制御（ＲＲＣ）シグナリング及びメディアアクセス制御（ＭＡＣ）シグナリング、物理アップリンク制御チャネル（ＰＵＣＣＨ）送信、及び非ＲＲＣ／ＭＡＣの物理アップリンク共有チャネル（ＰＵＳＣＨ）送信として、高い順位から低い順位への順序で、送信のための優先順位を割り当てる、請求項３６に記載の装置。
【請求項３８】
優先順位のルールの階層が、誤り訂正フィードバック信号、スケジューリング要求、ランクインジケータ、チャネル品質インジケータ（ＣＱＩ）レポート／プレコーディングマトリクスインジケータ（ＰＭＩ）信号、及びサウンディング基準信号として、高い優先順位から低い優先順位で、物理アップリンク制御チャネル（ＰＵＣＣＨ）内で構成された、請求項３７に記載の装置。
【請求項３９】
前記プロセッサが、電力ヘッドルームレポートが予め決められた閾値を超えるとき、前記第１のモードから前記第２のモードへ動作モードを再構成するようにさらに構成された、請求項３１に記載の装置。
【請求項４０】
前記第１の動作モードが３ＧＰＰリリース１０であり、前記第２の動作モードが３ＧＰＰリリース８／９であり、ここにおいてそれぞれの動作モードがリリース特有の機能を含む、請求項１９に記載の装置。
【請求項４１】
前記レポートが電力ヘッドルームレポート、ＣＱＩ（チャネル品質インジケータ）レポート、及び測定レポートの少なくとも１つを備える、請求項１９に記載の装置。
【請求項４２】
前記チャネルの優先順位付けは電力スケーリングを有するシングルキャリアの優先順位のルール及び電力スケーリングを有するマルチキャリアの優先順位のルールの１つを含む、請求項１９に記載の装置。
【請求項４３】
前記チャネルの優先順位付けは、物理アップリンク共有チャネル（ＰＵＳＣＨ）上の無線リソース制御（ＲＲＣ）シグナリング及びメディアアクセス制御（ＭＡＣ）シグナリング、物理アップリンク制御チャネル（ＰＵＣＣＨ）送信、及び非ＲＲＣ／ＭＡＣの物理アップリンク共有チャネル（ＰＵＳＣＨ）送信として、高い順位から低い順位への順序で、送信のための優先順位を割り当てる、請求項４２に記載の装置。
【請求項４４】
優先順位のルールの階層が、誤り訂正フィードバック信号、スケジューリング要求、ランクインジケータ、チャネル品質インジケータ（ＣＱＩ）レポート／プレコーディングマトリクスインジケータ（ＰＭＩ）信号、及びサウンディング基準信号として、高い優先順位から低い優先順位で、前記物理アップリンク制御チャネル（ＰＵＣＣＨ）内で構成される、請求項４３に記載の装置。
【請求項４５】
電力ヘッドルームレポートが予め決められた閾値を超えるとき、前記第１のモードから前記第２のモードへ動作モードを再構成するための手段をさらに備える、請求項１９に記載の装置。
【請求項４６】
前記第１の動作モードの電力動作制御機能を決定するためのプログラムコードが、前記ＵＥが電力制限されているかどうかに応じる、請求項２７に記載のコンピュータプログラム。
【請求項４７】
前記第１の動作モードが３ＧＰＰリリース１０であり、前記第２の動作モードが３ＧＰＰリリース８／９であり、ここにおいてそれぞれの動作モードがリリース特有の機能を含む、請求項２７に記載のコンピュータプログラム。
【請求項４８】
前記チャネルの優先順位付けは電力スケーリングを有するシングルキャリアの優先順位のルール及び電力スケーリングを有するマルチキャリアの優先順位のルールの１つを含む、請求項２７に記載のコンピュータプログラム。
【請求項４９】
前記第１の動作モードが３ＧＰＰリリース１０であり、前記第２の動作モードが３ＧＰＰリリース８／９であり、ここにおいてそれぞれの動作モードがリリース特有の機能を含む、請求項３３に記載の装置。
【請求項５０】
前記レポートが電力ヘッドルームレポート、ＣＱＩ（チャネル品質インジケータ）レポート、及び測定レポートの少なくとも１つを備える、請求項３３に記載の装置。
【請求項５１】
前記チャネルの優先順位付けは電力スケーリングを有するシングルキャリアの優先順位のルール及び電力スケーリングを有するマルチキャリアの優先順位のルールの１つを含む、請求項３３に記載の装置。
【請求項５２】
前記チャネルの優先順位付けは、物理アップリンク共有チャネル（ＰＵＳＣＨ）上の無線リソース制御（ＲＲＣ）シグナリング及びメディアアクセス制御（ＭＡＣ）シグナリング、物理アップリンク制御チャネル（ＰＵＣＣＨ）送信、及び非ＲＲＣ／ＭＡＣの物理アップリンク共有チャネル（ＰＵＳＣＨ）送信として、高い順位から低い順位への順序で、送信のための優先順位を割り当てる、請求項５１に記載の装置。
【請求項５３】
優先順位のルールの階層が、誤り訂正フィードバック信号、スケジューリング要求、ランクインジケータ、チャネル品質インジケータ（ＣＱＩ）レポート／プレコーディングマトリクスインジケータ（ＰＭＩ）信号、及びサウンディング基準信号として、高い優先順位から低い優先順位で、前記物理アップリンク制御チャネル（ＰＵＣＣＨ）内で構成される、請求項５２に記載の装置。
【請求項５４】
前記プロセッサは、電力ヘッドルームレポートが予め決められた閾値を超えるとき、前記第１のモードから前記第２のモードへ動作モードを再構成するようにさらに構成される、請求項３３に記載の装置。
【発明の詳細な説明】
【関連する出願への相互参照】
【０００１】
本出願は、ＤＡＭＮＪＡＮＯＶＩＣ及びその他の名のもとで２０１０年２月１２日に出願され、その開示が全体として参照により本明細書に明示的に組み込まれている、米国仮特許出願第６１／３０４，３４２の優先権を主張する。
【技術分野】
【０００２】
以下の説明は概してワイアレス通信システムに、より具体的には動作の電力モードの電力制御レジームに基づくユーザ機器の動作モードの構成に関する。
【背景技術】
【０００３】
ワイアレス通信システムは、ボイス、データなどのような、通信コンテンツの様々なタイプを提供するように幅広く配置される。これらのシステムは、利用可能なシステムリソース（例えば、帯域幅及び送信電力）を共有することによって複数のユーザとの通信をサポートできるマルチプルアクセスシステムであり得る。そのようなマルチプルアクセスシステムの例は、符号分割多元接続（ＣＤＭＡ）システム、時分割多元接続（ＴＤＭＡ）システム、周波数分割多元接続（ＦＤＭＡ）システム、Ｅ−ＵＴＲＡを含む３ＧＰＰのロングタームエボリューション（ＬＴＥ）システム、直交周波数分割多元接続（ＯＦＤＭＡ）システムを含む。
【０００４】
直交周波数分割多重（ＯＦＤＭ）通信システムは、全体のシステム帯域幅を、周波数サブチャネル、トーン、もしくは周波数ビンとも称され得る複数のサブキャリアに効果的に区分化する。ＯＦＤＭシステムに関して、送信されるデータ（つまり、情報ビット）は最初に、コード化されたビットを生成するために特定のコーディングスキームで符号化され、そのコード化されたビットはさらに、その後変調シンボルにマッピングされる複数ビットシンボルにグループ分けされる。それぞれの変調シンボルはデータ送信のために使用される特定の変調スキーム（例えば、Ｍ−ＰＳＫ、もしくはＭ−ＱＡＭ）によって定義される信号コンステレーションにおけるポイントに対応する。それぞれの周波数サブキャリアの帯域幅次第であり得るそれぞれの時間インターバルで変調シンボルは周波数サブキャリアのそれぞれの上で送信され得る。従って、ＯＦＤＭは、システム帯域幅に渡る減衰の異なる量によって特徴づけられる周波数の選択的なフェーディングによって引き起こされるシンボル間干渉（ＩＳＩ）に対抗するために使用され得る。
【０００５】
概して、ワイアレスマルチプルアクセス通信システムは、順方向及び逆方向リンク上の送信を介して１つまたは複数の基地局と通信する複数のワイアレス端末のための通信を同時にサポートすることができる。順方向リンク（もしくはダウンリンク）は基地局から端末への通信リンクを称し、逆方向リンク（もしくはアップリンク）は端末から基地局への通信リンクを称する。この通信リンクは単一入力単一出力、多入力単一出力、もしくは多入力多出力（ＭＩＭＯ）システムを介して確立され得る。
【０００６】
例えば、３ＧＰＰリリース８のような、典型的な電気通信プロトコルはユーザ機器の動作の間アップリンク（ＵＬ）通信のための電力制御機能を提供しない。しかしながら、例えば３ＧＰＰリリース１０のような最近の電気通信プロトコルは、構成されたユーザ機器のためのアップリンクにおける通信用に少なくとも２つの制御レジームを可能にする。従って、ユーザ機器を構成するための従来のメカニズムは不十分であり得る。
【発明の概要】
【０００７】
以下は、特許請求の範囲における主題のいくつかの態様の基本的な理解を提供するために簡略化された概要を示す。この概要は広範囲に及ぶ概観ではなく、特許請求の範囲における主題の範囲を描き出すこともしくはキーとなる／重要な要素を識別することは意図されていない。その唯一の目的は後に示されるより詳細な説明への序章として簡略化された形態でいくつかの概念を示すことである。
【０００８】
ある実施例において、ワイアレス通信のための方法は第１のモードにおけるユーザ機器（ＵＥ）の動作を指し示す第１の構成を受信することを含む。第１の動作モードの電力動作制御機能はその後決定され、その電力動作制御機能に少なくとも部分的に基づいてチャネルの優先順位付けがトリガされる。第１の動作モードから生じる状態のＵＥにより生成されたレポートに基づく、第２のモードにおけるＵＥの動作を指し示す第２の構成が受信される。第２の動作モードはその後実行される。
【０００９】
別の態様において、ワイアレス通信のためのシステムは、第１の動作モードの電力動作制御機能を決定するための手段、及び電力動作制御機能に少なくとも部分的に基づいてチャネルの優先順位付けをトリガするための手段を含む。そのシステムはまた、第１の動作モードから生じる状態のＵＥにより生成されたレポートに基づく、第２のモードにおけるＵＥ動作を指し示す第２の構成を受信するための手段も含む。実行手段は第２の動作モードを実行する。
【００１０】
加えて、プログラムコードを記憶したコンピュータ読み取り可能媒体を含む、ワイアレスネットワーク内のワイアレス通信のためのコンピュータプログラム製品が提供される。そのプログラムコードは第１の動作モードの電力動作制御機能を決定するためのプログラムコード、及び電力動作制御機能に少なくとも部分的に基づいてチャネルの優先順位付けをトリガするためのプログラムコードを備える。プログラムコードは、第１の動作モードから生じる状態のＵＥにより生成されたレポートに基づく第２の構成を受信し、その第２の構成は第２のモードにおけるＵＥの動作を指し示す。加えて、プログラムコードは第２の動作モードを実行する。
【００１１】
別の実施例において、ワイアレス通信のための装置は、メモリ及び、メモリに連結された少なくとも１つのプロセッサを含む。プロセッサは第１の動作モードの電力動作制御機能を決定するように、ならびに電力動作制御機能に少なくとも部分的に基づいてチャネルの優先順位付けをトリガするように構成される。加えてプロセッサは、第１の動作モードから生じる状態のＵＥにより生成されたレポートに基づく第２の構成を受信し、ここにおける第２の構成は第２のモードにおけるＵＥの動作を指し示す。プロセッサは第２の動作モードを実行する。
【００１２】
前述の、ならびに関連する目的の達成のために、ある特定の例示的な態様が、本明細書で以下の説明及び添付の図面と関係して説明される。しかしながらこれらの態様は、特許請求の範囲における主題の本質が用いられ得る様々な方法のほんの数例を示し、特許請求の範囲における主題はそのような態様及びそれらの均等物の全てを含むことが意図されている。他の利点及び新たな特徴は、図面と結合して考慮されるとき、以下の詳細な説明により明らかになり得る。
【図面の簡単な説明】
【００１３】
【図１】本明細書で説明される態様に従ってユーザ機器の構成を活用するシステムの高いレベルのブロック図。
【図２】本明細書で説明される態様に従うマルチプルアクセスワイアレス通信システムを例示する図。
【図３】本明細書で説明される態様に従ってワイアレス処理で用いられ得る模範的な通信システムを例示する図。
【図４】本明細書で説明される態様に従ってワイアレス処理で用いられ得る模範的な通信システムを例示する図。
【図５Ａ】連続的なキャリアアグリゲーションタイプを開示する図。
【図５Ｂ】不連続的なキャリアアグリゲーションタイプを開示する図。
【図６】ＭＡＣレイヤデータアグリゲーションを開示する図。
【図７】複数キャリアの構成において無線リンクを制御するための方法を例示するブロック図。
【図８】本明細書で説明される態様に従う電力制限された、もしくは電力制限されないアップリンク電気通信の場合にユーザ機器の動作を構成するための模範的な方法のフローチャート。
【図９】本明細書で説明される態様に従うユーザ機器の動作に関連する模範的な論理を例示する図。
【図１０】本明細書で説明される態様に従ってユーザ機器の構成を可能にする模範的なシステムを例示する図。
【図１１Ａ】本明細書で説明される態様に従う例示的な論理を例示するフローチャート。
【図１１Ｂ】本明細書で説明される態様に従う例示的な論理を例示するフローチャート。
【詳細な説明】
【００１４】
動作の電力モードの電力制御レジームに基づいてユーザ機器の動作モードを構成するためのシステム及び方法が提供される。電力制限されたアップリンク送信レジームに関してＵＥは、例えばシングルキャリアのフォーマットもしくはマルチプルキャリアのフォーマットなどの、シグナリング及びデータのアップリンク伝達のためのフォーマットに基づいて制御及びデータチャネルを優先順位付けするために１組の１つまたは複数のルールを適用する。ＵＥは電力ヘッドルームレポートを生成し、基地局へそのレポートを伝達し、そしてそれは（１つまたは複数の）異種の電力制御レジームを提供する異種の動作モードでＵＥを再構成し、もしくは、チャネルの優先順位付けをトリガすることに結果としてなった最初に構成された動作モードにＵＥを維持しながら、ＵＥのための１つまたは複数の電気通信リソースを再スケジューリングし得る。
【００１５】
本明細書で説明される１つまたは複数の例示的な実施例において、説明される機能はハードウェア、ソフトウェア、ファームウェア、もしくはそれらの任意の組み合わせにおいて実行され得ることは留意されたい。もし、ソフトウェアにおいて実行される場合、機能はコンピュータ読み取り可能媒体上に１つまたは複数の命令、もしくはコードとして送信もしくは格納され得る。コンピュータ読み取り可能媒体はある場所から別の場所へのコンピュータプログラムの転送を容易にする任意の媒体を含む通信媒体とコンピュータ記憶媒体の両方を含む。記憶媒体はコンピュータによってアクセスされ得る任意の利用可能な媒体であり得る。限定ではなく例として、そのようなコンピュータ読み取り可能媒体はＲＡＭ、ＲＯＭ、ＥＥＰＲＯＭ、ＣＤ−ＲＯＭ、もしくは他の光学ディスク記憶媒体、磁気ディスク記憶媒体もしくは他の磁気記憶デバイス、あるいは命令もしくはデータ構造の形態で望ましいプログラムコードを搬送もしくは格納するために使用され得る、ならびにコンピュータによってアクセスされ得る任意の他の媒体を備え得る。また任意の接続手段がコンピュータ読み取り可能媒体と適切に呼ばれる。例えば、もしソフトウェアがウェブサイト、サーバ、もしくは同軸ケーブル、光ファイバーケーブル、ツイストペア、デジタル加入者線（ＤＳＬ）、もしくは赤外線、無線、およびマイクロウェーブのようなワイアレス技術を使用して他の遠隔ソースから送信される場合、そのときは同軸ケーブル、光ファイバーケーブル、ツイストペア、ＤＳＬ、もしくは赤外線、無線、およびマイクロウェーブのようなワイアレス技術は媒体の定義に含まれる。本明細書で使用されるように、ディスク（ｄｉｓｋ）およびディスク（ｄｉｓｃ）は、コンパクトディスク（ｃｏｍｐａｃｔ  ｄｉｓｃ）（ＣＤ）、レーザディスク（ｌａｓｅｒ  ｄｉｓｃ）、光学ディスク（ｏｐｔｉｃａｌ  ｄｉｓｃ）、デジタルバーサタイルディスク（ｄｉｇｉｔａｌ  ｖｅｒｓａｔｉｌｅ  ｄｉｓｃ）（ＤＶＤ），フロッピー（登録商標）ディスク（ｆｌｏｐｐｙ（登録商標）  ｄｉｓｋ）およびブルーレイディスク（ｂｌｕ−ｒａｙ  ｄｉｓｃ）を含み、ここにおいてディスク（ｄｉｓｃ）がレーザを用いて光学的にデータを再現するのに対し、ディスク（ｄｉｓｋ）は大抵磁気的にデータを再現する。上記の組み合わせもまた、コンピュータ読み取り可能媒体の範囲内に含まれるべきである。
【００１６】
図１は本明細書で説明される態様に従ってユーザ機器（ＵＥ）の構成を活用する模範的なシステム１００の高いレベルのブロック図を例示している。模範的なシステム１００において、基地局１１０（ノード、進化型ノードＢ（ｅＮＢ）、サービスｅＮＢ、ターゲットｅＮＢ、フェムトセル基地局、ピコセル基地局としても称される）は、ユーザ機器１３０の動作のモードを決定する構成データ１１５を伝達し、ユーザ機器１３０はアクセス端末（端末、ユーザ機器、もしくは移動デバイスとしても称される）であり得る。構成データがまた（例えば、モビリティ管理エンティティ（ＭＭＥ）のような）ワイアレスネットワークプラットホームを有する異種のノードへ伝達され得ることは認識されるべきである。構成データ１１５はユーザ機器１３０における（１つまたは複数の）プロセッサ１３４によって受信され得る。
【００１７】
構成データ１１５に基づいて、ＵＥ１３０は（例えば、３ＧＰＰリリース８もしくは３ＧＰＰリリース１０、もしくは任意の他のリリースに従う動作のような）動作のモードを決定し得、動作のモードによって提供される電力制御機能もしくはレジームを確立し得る。もし動作のモードがアップリンクにおいて電力制限されない通信を提供する場合、プロセッサ１３０はアップリンク通信における電力制限されない制御の下の動作のモードに従ってＵＥ１３０を動作させる。動作のモードがアップリンクに電力制限された電気通信を課す電力制御機能を含む場合、ＵＥ１３０は少なくともプロセッサ１３０を通じて、アップリンクにおいて通信を伝達するためにチャネルの優先順位付けをトリガし得る。
【００１８】
チャネルの優先順位付けを実行するためにＵＥ１３０は、アップリンクデータ及びシグナリングのためのフォーマット、すなわちシングルキャリアフォーマットもしくはマルチプルキャリア（もしくはマルチキャリア）フォーマット、あるいは伝達プロトコルに少なくとも部分的に基づいて制御及びデータチャネルのためにアップリンク通信の優先順位を決定する１組の１つまたは複数のキャリア及び／もしくはチャネルの優先順位のルール（例えば、図９を参照）を少なくとも部分的に（１つまたは複数の）プロセッサ１３４を通じて適用する。そのような優先順位付けのルールの適用に基づいて、ＵＥ１３０は、少なくとも部分的に（１つまたは複数の）プロセッサ１３４を介して、ユーザ機器１３０をさらに構成するために（１つまたは複数の）基地局１１０によって利用される電力ヘッドルームレポート１２５を供給（例えば、生成及び伝達）する。電力ヘッドルームレポート１２５に基づくそのような構成は（例えば、最初に構成されたモード（図９も参照）のような）第１の動作モードにおける動作にＵＥ１３０を維持すること、もしくは異種の動作モード（例えば、図８を参照）にスイッチすることを含み得る。
【００１９】
加えて、（１つまたは複数の）基地局１１０はＵＥ１３０に与えられる（１つまたは複数の）送信リソースを再スケジューリングするために電力ヘッドルームレポート１２５を用い得る。１つの態様において、電力ヘッドルームレポート１２５のそのような利用は、もし（例えば、３ＧＰＰリリース１０のような）最初に構成された動作モードがＵＥ１３０の動作のモードとして維持されている場合に実行され得る。１つの態様においてＵＥ１３０は、例えば３ＧＰＰリリース８のルールに独占的に従う３ＧＰＰリリース８の動作モード、もしくは例えば物理アップリンク共有チャネル（ＰＵＳＣＨ）及び並行の物理アップリンク制御チャネル（ＰＵＣＣＨ）上でクラスタ化されたデータ送信を含むような３ＧＰＰリリース１０の動作モードにおいて動作するように構成され得る３ＧＰＰリリース８以降の移動デバイスであり得る。
【００２０】
ある態様において模範的なシステム１００におけるＵＥ１３０は、（１つまたは複数の）プロセッサ１３４によって実行されるときに（これもまたメモリ１３８に保持され得る）構成データ１１５を少なくとも部分的に介して供給される電力制御態様に基づく動作構成と関係してＵＥ１３０の機能性を実行するコード命令を保持するコンピュータ読み取り可能記憶媒体であり得るメモリ１３８を含む。
【００２１】
システム１００はアクセス端末もしくは移動デバイスを伴って用いられ得、例えば、ＳＤカード、ネットワークカード、ワイアレスネットワークカード、（ラップトップ、デスクトップ、パーソナルデジタルアシスタントＰＤＡｓを含む）コンピュータ、移動電話、スマートフォン、もしくはネットワークにアクセスするために利用され得る任意の他の適当な端末のようなモジュールであり得ることは留意されたい。端末はアクセスコンポーネント（表示されていない）を通じてネットワークにアクセスする。ある例において、端末とアクセスコンポーネントとの接続手段は、本質的にワイアレスであり得、ここにおいてアクセスコンポーネントが基地局であり得、移動デバイスがワイアレス端末である。例えば、端末及び基地局は、時分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、もしくは任意の他の適当なプロトコルに限定はされないがこれらを含む、任意の適当なワイアレスプロトコルを通じて通信し得る。
【００２２】
アクセスコンポーネントは有線のネットワークもしくはワイアレスネットワークに関連するアクセスノードであり得る。そのためにはアクセスコンポーネントは例えば、ルータ、スイッチなどであり得る。アクセスコンポーネントは他のネットワークノードと通信するための、例えば通信モジュールのような１つまたは複数のインタフェースを含み得る。加えてアクセスコンポーネントはセルラータイプのネットワークにおける基地局（もしくはワイアレスアクセスポイント）であり得、ここにおいて基地局（もしくはワイアレスアクセスポイント）はワイアレスカバレッジエリアを加入者に提供するために利用される。そのような基地局（もしくはワイアレスアクセスポイント）はカバレッジの切れ目のないエリアを１つまたは複数のセルラー電話及び／もしくは他のワイアレス端末に提供するために配置され得る。
【００２３】
本明細書で説明される技法は様々な手段によって実行され得る。例えばこれらの技法はハードウェア、ソフトウェア、もしくはそれらの組み合わせにおいて実行され得る。ハードウェア実行に関して処理ユニットは、１つまたは複数の特定用途向け集積回路（ＡＳＩＣｓ）、デジタル信号プロセッサ（ＤＳＰｓ）、デジタル信号処理デバイス（ＤＳＰＤｓ）、プログラム可能論理デバイス（ＰＬＤｓ）、フィールドプログラマブルゲートアレイ（ＦＰＧＡｓ）、プロセッサ、コントローラ、マイクロコントローラ、マイクロプロセッサ、本明細書で説明される機能を実行するように設計された他の電子ユニット、もしくはそれらの組み合わせの中で実行され得る。ソフトウェアを用いると実行は、本明細書で説明される機能を実行するモジュール（例えば、手順、機能など）を通じ得る。ソフトウェアコードはメモリユニット内に格納され得、プロセッサによって実行され得る。
【００２４】
図２を参照するとマルチプルアクセスワイアレス通信システム２００が例示されている。マルチプルアクセスのワイアレス通信システム２００は、セル２０２、２０４、及び２０６を含む複数のセルを含む。ある態様において、システム２００及びセル２０２、２０４、及び２０６は複数のセクタを含むｅノードＢを含み得る。複数のセクタは、セルの一部においてＵＥｓとの通信を担うそれぞれのアンテナを有するアンテナのグループによって形成され得る。例えばセル２０２において、アンテナグループ２１２、２１４、及び２１６はそれぞれ異なるセクタに対応し得る。セル２０４において、アンテナグループ２１８、２２０、及び２２２はそれぞれ異なるセクタに対応する。セル２０６においてアンテナグループ２２４、２２６、及び２２８はそれぞれ異なるセクタに対応する。セル２０２、２０４、及び２０６は、それぞれのセル２０２、２０４、もしくは２０６の１つまたは複数のセクタと通信し得る、例えばユーザ機器もしくはＵＥｓのようないくつかのワイアレス通信デバイスを含み得る。例えばＵＥｓ２３０及び２３２はｅノードＢ２４２と通信し得、ＵＥｓ２３４及び２３６はｅノードＢ２４４と通信し得、ＵＥｓ２３８および２４０はｅノードＢ２４６と通信し得る。
【００２５】
今度は図３を参照すると、ある態様に従うマルチプルアクセスワイアレス通信システムが例示される。ｅノードＢ３００は複数のアンテナグループを含み、１つはアンテナ３０４及び３０６を含み、別のグループはアンテナ３０８及び３１０を含み、更なるグループはアンテナ３１２及び３１４を含む。図３においてそれぞれのアンテナグループにはたった２つのアンテナが表示されているけれども、しかしこれよりも多い、あるいはこれよりも少ないアンテナがそれぞれのアンテナグループに利用され得る。ＵＥ３１６はアンテナ３１２および３１４と通信し、ここにおいてアンテナ３１２及び３１４はダウンリンク３２０を渡って情報をＵＥ３１６に送信し、アップリンク３１８を渡って情報をアクセス端末３１６から受信する。ＵＥ３２２はアンテナ３０６及び３０８と通信し、ここにおいてアンテナ３０６及び３０８はダウンリンク３２６を渡って情報をアクセス端末３２２に送信し、アップリンク３２４を渡って情報をアクセス端末３２２から受信する。ＦＤＤシステムにおいて通信リンク３１８、３２０、３２４、及び３２６は通信のために異なる周波数を使用し得る。例えば、順方向リンク３２０は逆方向リンク３１８によって使用されているものと異なる周波数を使用し得る。
【００２６】
アンテナのそれぞれのグループ、及び／もしくはそれらが通信するように設計されているエリアは度々ｅノードＢのセクタとして称される。アンテナグループのそれぞれはｅノードＢ３００によってカバーされたエリアのセクタ内のＵＥｓに通信するように設計される。ダウンリンク３２０及び３２６を渡る通信においてｅノードＢ３００の送信アンテナは異なるＵＥｓ３１６及び３２４のためのダウンリンクの信号対雑音比を改善するためにビームフォーミングを利用する。また、そのカバレッジの至る所にランダムに分散されたＵＥｓに送信するためにビームフォーミングを使用するｅノードＢは、単一のアンテナを通じて全てのそのＵＥｓに送信するｅノードＢよりも、近接するセル内のＵＥｓに小さな干渉を引き起こす。基地局は端末と通信するために使用される固定された局であり得、アクセスポイント、ｅノードＢ、もしくはいくつかの他の用語としても称され得る。アクセス端末はまた、アクセス端末、ユーザ機器（ＵＥ）、ワイアレス通信デバイス、端末、アクセス端末、もしくはいくつかの他の用語で呼ばれ得る。
【００２７】
図４を参照すると、システム４００はＭＩＭＯシステム４００において（ｅノードＢとしても既知の）送信機システム４１０、及び（ＵＥとしても既知の）受信機システム４５０を例示する。送信機システム４１０で多くのデータストリームのためのトラフィックデータは、データソース４１２から送信（ＴＸ）データプロセッサ４１４に提供される。それぞれのデータストリームは各々の送信アンテナによって送信される。ＴＸデータプロセッサ４１４はそれぞれのデータストリームのためのトラフィックデータを、コード化されたデータを提供するためにそのデータストリームのために選択された特定のコーディングスキームに基づいてフォーマット、コード化、及びインターリーブする。
【００２８】
それぞれのデータストリームのためのコード化されたデータはＯＦＤＭ技法を使用してパイロットデータと多重化され得る。パイロットデータは通常、既知の方式で処理される既知のデータパターンであり、チャネル応答を推定するために受信機システムで使用され得る。それぞれのデータストリームのための多重化されたパイロット及びコード化されたデータはその後、変調シンボルを提供するためにそのデータストリームのために選択された特定の変調スキーム（例えば、ＢＰＳＫ、ＱＳＰＫ、Ｍ−ＰＳＫ、もしくはＭ−ＱＡＭ）に基づいて変調される（つまり、シンボルマッピングされる）。それぞれのデータストリームのためのデータレート、コーディング、及び変調はプロセッサ４３０によって実行される命令によって決定され得る。
【００２９】
全てのデータストリームのための変調シンボルはその後、ＴＸ  ＭＩＭＯプロセッサ４２０に提供され、それはさらに（例えば、ＯＦＤＭのために）変調シンボルをさらに処理し得る。ＴＸ  ＭＩＭＯプロセッサ４２０はその後ＮＴ個の変調シンボルストリームをＮＴ個の送信機（ＴＭＴＲ）４２２ａ乃至４２２ｔに提供する。ある特定の実施例においてＴＸ  ＭＩＭＯプロセッサ４２０はデータストリームのシンボルに、ならびにシンボルが送信されているアンテナにビームフォーミングの重み付けを適用する。
【００３０】
それぞれの送信機４２２は１つまたは複数のアナログ信号を提供するために各々のシンボルストリームを受信及び処理し、ＭＩＭＯチャネルを渡る送信に適当な変調された信号を提供するためにアナログ信号をさらに調整（例えば、増幅、フィルタ、及びアップコンバート）する。送信機４２２ａ乃至４２２ｔからのＮＴ個の変調された信号はその後、それぞれＮＴ個のアンテナ４２４ａ乃至４２４ｔから送信される。
【００３１】
受信機システム４５０で、送信された変調された信号はＮＲ個のアンテナ４５２ａ乃至４５２ｒによって受信され、それぞれのアンテナ４５２からの受信された信号は各々の受信機（ＲＣＶＲ）４５４ａ乃至４５４ｒに提供される。それぞれの受信機４５４は各々の受信された信号を調整（例えば、フィルタ、増幅、及びダウンコンバート）し、サンプルを提供するために調整された信号をデジタル化し、対応する「受信された」シンボルストリームを提供するためにサンプルをさらに処理する。
【００３２】
ＲＸデータプロセッサ４６０は、その後ＮＲ個の受信機４５４からのＮＲ個の受信されたシンボルストリームを、ＮＴ個の「検出された」シンボルストリームを提供するために特定の受信機処理技法に基づいて受信及び処理する。ＲＸデータプロセッサ４６０はその後、データストリームのためのトラフィックデータを復元するためにそれぞれの検出されたシンボルストリームを復調、デインタリーブ、及び復号する。ＲＸデータプロセッサ４６０による処理は、送信機システム４１０でＴＸ  ＭＩＭＯプロセッサ４２０及びＴＸデータプロセッサ４１４によって実行されるものと相補的である。
【００３３】
プロセッサ４７０は周期的に、どのプリコーディングマトリクスを使用すべきかを決定する（以下で議論される）。プロセッサ４７０はマトリクスインデックス部分及びランク値部分を備える逆リンクメッセージを作成する。逆リンクメッセージは、通信リンク及び／もしくは受信されたデータストリームに関する様々なタイプの情報を備え得る。逆リンクメッセージはその後、データソース４３６から多くのデータストリームのためのトラフィックデータを受信することもするＴＸデータプロセッサ４３８によって処理され、変調器４８０によって変調され、送信機４５４ａ乃至４５４ｒによって調整され、送信機システム４１０に送信し返される。
【００３４】
送信機システム４１０で、受信機システム４５０からの変調された信号は、アンテナ４２４によって受信され、受信機４２２によって調整され、復調器４４０によって復調され、ならびに受信機システム４５０によって送信された逆リンクメッセージを抽出するためにＲＸデータプロセッサ４４２によって処理される。プロセッサ４３０はその後、ビームフォーミングの重み付けを決定するためにどのプレコーディングマトリクスを使用すべきか決定し、そして抽出されたメッセージを処理する。
【００３５】
キャリアアグリゲーション
ＬＴＥ−ＡｄｖａｎｃｅｄのＵＥｓは、それぞれの方向への送信のために使用される総数１００Ｍｈｚ（５つのコンポーネントキャリア）までのキャリアアグリゲーションにおけるそれぞれのキャリアのための２０Ｍｈｚまでの帯域幅を有するスペクトルを使用する。概してアップリンク上ではダウンリンクよりも少ないトラフィックが送信され、そのためアップリンクスペクトルの割り当てはダウンリンクの割り当てよりも小さくなり得る。例えば、もし２０Ｍｈｚがアップリンクに割り当てられた場合、ダウンリンクは１００Ｍｈｚが割り当てられ得る。これらの不均等なＦＤＤの割り当てはスペクトルを節約することになり、ブロードバンド加入者による通常の不均等な帯域幅の利用に合致する。
【００３６】
キャリアアグリゲーションタイプ
ＬＴＥ−Ａｄｖａｎｃｅｄ移動システムに関して、連続キャリアアグリゲーション（ＣＡ）及び不連続ＣＡの、２つの種類のＣＡ方法が提案されてきた。それらは図５Ａ及び図５Ｂにおいて例示されている。不連続ＣＡは、複数の利用可能なコンポーネントキャリアが周波数帯域に沿って分離されるときに生じる（図５Ｂ）。一方で、連続ＣＡは複数の利用可能なコンポーネントキャリアが互いに隣接するときに生じる（図５Ａ）。不連続及び連続ＣＡの両方は、ＬＴＥ−ＡｄｖａｎｃｅｄのＵＥの単一のユニットにサービスするために複数のＬＴＥ／コンポーネントキャリアをアグリゲートする。
【００３７】
複数のＲＦ受信ユニット及び複数のＦＦＴｓは、キャリアが周波数帯域に沿って分離されているために、ＬＴＥ−ＡｄｖａｎｃｅｄのＵＥにおいて不連続ＣＡに関して配置され得る。不連続ＣＡは広い周波数の範囲に渡った複数の分離されたキャリアを介したデータ送信をサポートしているので、伝搬路損失、ドップラーシフト及び他の無線チャネルの特徴は異なる周波数帯域で大いに変化し得る。
【００３８】
従って、不連続ＣＡ手法の下でブロードバンドデータ送信をサポートするために異なるコンポーネントキャリアのためのコーディング、変調及び送信電力を適応的に調節するための方法が使用され得る。例えば、強化されたノードＢ（ｅノードＢ）がそれぞれのコンポーネントキャリア上で固定された送信電力を有するＬＴＥ−Ａｄｖａｎｃｅｄシステムにおいて、それぞれのコンポーネントキャリアのサポート可能な変調及びコーディングもしくは有効なカバレッジは異なり得る。
【００３９】
データアグリゲーションスキーム
図６はＩＭＴアドバンスドシステムのための媒体アクセス制御（ＭＡＣ）レイヤでの異なるコンポーネントキャリアからの送信ブロック（ＴＢｓ）をアグリゲートすることを例示している。ＭＡＣレイヤのデータアグリゲーションを用いて、それぞれのコンポーネントキャリアは、ＭＡＣレイヤにおけるその独自の独立したハイブリット自動再送要求（ＨＡＲＱ）エンティティ、及び物理レイヤにおけるその独自の送信構成パラメータ（例えば、送信電力、変調及びコーディングスキーム、及び複数アンテナの構成）を有する。同様に物理レイヤにおいて１つのＨＡＲＱエンティティがそれぞれのコンポーネントキャリアに提供される。
【００４０】
制御シグナリング
概して、複数のコンポーネントキャリア用の制御チャネルシグナリングを配置するための３つの異なる手法がある。第１はＬＴＥシステムにおける制御構造の小さな変更を伴い、そこでは、それぞれのコンポーネントキャリアがその独自のコード化された制御チャネルを与えられる。
【００４１】
第２の方法は異なるコンポーネントキャリアの制御チャネルを一緒にコード化することと、専用コンポーネントキャリアに制御チャネルを配置することを伴う。複数のコンポーネントキャリアのための制御情報はこの専用制御チャネルにおけるシグナリングコンテンツとして統合されることになる。結果として、ＣＡにおけるシグナリングオーバヘッドは低減される一方、ＬＴＥシステムにおける制御チャネル構造との下位互換性は維持される。
【００４２】
異なるコンポーネントキャリア用の複数の制御チャネルは、一緒にコード化され、その後第３のＣＡ方法によって形成される全体の周波数帯域に渡って送信される。この手法はＵＥ側で高い電力消費を代償にして制御チャネルにおいて高い復号パフォーマンス及び低いシグナリングオーバヘッドを提供する。しかしながらこの方法はＬＴＥシステムと互換性がない。
【００４３】
ハンドオーバ制御
ＣＡがＩＭＴアドバンスドのＵＥのために使用されるときに複数のセルに渡るハンドオーバ手順の間、送信の連続をサポートすることは好ましい。しかしながら、特定のＣＡ構成及びサービス品質（ＱｏＳ）要件を有する、入ってくるＵＥのために十分なシステムリソース（つまり、良好な送信品質を有するコンポーネントキャリア）をリザーブすることは次のｅノードＢにとって困難であり得る。その理由は２つ（またはそれより多い）隣接するセル（ｅノードＢ）のチャネルコンディションが特定のＵＥにとって異なり得ることである。ある手法においてＵＥはそれぞれの隣接するセルにおける１つのコンポーネントキャリアだけパフォーマンスを測定する。これは、ＬＴＥシステムにおけるものと類似の測定遅延、複雑性、及びエネルギー消費を提供する。対応するセルの他のコンポーネントキャリアのパフォーマンスの推定は１つのコンポーネントキャリアの測定結果に基づき得る。この推定に基づいて、ハンドオーバ決定及び送信構成が判断され得る。
【００４４】
様々な実施例に従って、（キャリアアグリゲーションとしても称される）マルチキャリアシステムにおいて動作するＵＥは、「一次キャリア」として称され得る同じキャリア上に、制御及びフィードバック機能のような、複数のキャリアのある特定の機能をアグリゲートするように構成される。サポートのために一次キャリアに依存する残りのキャリアは関連する二次キャリアとして称される。例えば、ＵＥは任意の専用チャネル（ＤＣＨ）、スケジューリングされていない許可、物理アップリンク制御チャネル（ＰＵＣＣＨ）、及び／もしくは物理ダウンリンク制御チャネル（ＰＤＣＣＨ）によって提供されるもののような制御機能をアグリゲートし得る。シグナリング及びペイロードはｅノードＢによるＵＥへのダウンリンク上、及びＵＥによるｅノードＢへのアップリンク上の両方で送信され得る。
【００４５】
いくつかの実施例において、複数の一次キャリアがあり得る。加えて二次キャリアは、ＬＴＥ  ＲＲＣプロトコルのための３ＧＰＰの技術的仕様書３６．３３１にあるような、レイヤ２の手順であるＲＬＦ手順及び物理チャネル確立を含む、ＵＥの基本的な動作に影響を与えることなく追加、もしくは削除され得る。
【００４６】
図７はある例に従って物理チャネルをグループ化することによってマルチプルキャリアのワイアレス通信システムにおいて無線リンクを制御するための方法７００を例示する。表示されているように、この方法はブロック７０５で、一次キャリア及び１つまたは複数の関連する二次キャリアを形成するために少なくとも２つのキャリアから１つのキャリア上に制御機能をアグリゲートすることを含む。次にブロック７１０で、通信リンクが一次キャリア及びそれぞれの二次キャリアのために確立される。その後通信はブロック７１５において一次キャリアに基づいて制御される。
【００４７】
図８は、本明細で説明される態様に従って、電力制限された、もしくは電力制限されないアップリンク電気通信の場合にユーザ機器動作を構成するための模範的な方法のフローチャートである。説明の簡略化の目的のために、方法（及び本明細書で説明される他の方法）は一連の行為として表示及び説明されるけれども、１つまたは複数の態様に従っていくつかの行為が本明細書で表示及び説明されているものとは別の行為と同時に、及び／もしくは異なる順序で生じ得るので、その方法が行為の順序によって限定されないことは理解及び認識されるべきである。例えば、方法が状態図においてのように、一連の相互関連する状態もしくはイベントとして代わりに示されることがあることを当業者は理解及び認識することになる。さらには、すべての例示された行為が、特許請求の範囲における主題に従って方法を実行するために使用され得るとは限らない。
【００４８】
ブロック８１０で、第１の動作モードにおいて動作するための第１の構成インジケーションが受信される。ある例において、動作モードは３ＧＰＰリリース８もしくは３ＧＰＰリリース１０であり得る。加えて、ある実施例において、リリース８及びリリース１０は特定機能のパッケージにとっては同義である。ブロック８２０で、第１の動作モードが電力動作制御を含むかどうかが決定される。もし第１の動作モードが電力動作制御を含まない場合、主題の模範的な方法は終了する。反対に、もし第１の動作モードが電力動作制御を含む場合、その時、模範的な方法は、電力動作制御が許容するのが電力制限されないレジームか電力制限されたレジームかを決定するブロック８３０に進む。電力制限されないレジームの場合動作は、本明細書で説明される１つまたは複数の態様の実行なしでブロック８４０に進む。アップリンク電気通信用の電力制限されたレジームの場合、チャネルの優先順位付けはブロック８５０でトリガされる。チャネルの優先順位付けはアップリンク電気通信用の１つまたは複数の優先順位のルールをチャネル（例えば、制御チャネル（物理ＵＬ制御チャネル（ＰＵＣＣＨ））、もしくはデータチャネル（例えば、物理アップリンク共有チャネル（ＰＵＳＣＨ）））、及びアップリンク電気通信用のプロトコルもしくはフォーマット（例えば、シングルキャリアのフォーマットもしくはマルチキャリアのフォーマット）に部分的に基づいて実行することを含む。ＵＥは、送信するすべてのアイテムに渡ってどのように選択的に電力を分配するかを決定するために優先順位のルールを適用する。優先順位はシングルキャリア構成に対して、及びマルチキャリア構成に対して定義され得る。
【００４９】
ある例において、シングルキャリア構成に関して電力スケーリングは、以下の優先順位（最も高い優先順位から最も低い優先順位の順序）、つまり、ＰＵＳＣＨ上のＲＲＣ及びＭＡＣシグナリング、ＰＵＣＣＨ、及びＰＵＳＣＨに基づく。加えて、優先順位付けはＰＵＣＣＨ内で割り当てられ得る。ある例において、優先順位は（最も高い順位から最も低い順位に）以下のように、つまり、フィードバック階層（例えば、ＡＣＫ／ＮＡＣＫ，ＭＩＭＯ、ＳＩＭＯ）、スケジューリング要求（ＳＲ）、ランクインジケータ（ＲＩ）、（広帯域及びサブバンドを含む）チャネル品質インジケータ／プレコーディングマトリクスインジケータ、ＳＲＳ（サウンディング基準信号）に割り当てられる。
【００５０】
マルチキャリア構成のための例において、電力スケーリングは以下の優先順位の階層、つまり、ＰＵＳＣＨ上でのＲＲＣ及びＭＡＣシグナリングを搬送するキャリア、キャリアに渡るＰＵＣＣＨ、及びキャリアに渡るＰＵＳＣＨに基づき得る。加えて優先順位のルールの階層はＰＵＣＣＨ内で以下のように、つまり、（ＭＩＭＯ及びＳＩＭＯを含む）ＡＣＫ／ＮＡＣＫ、スケジューリング要求（ＳＲ）、ランクインジケータ（ＲＩ）、ＣＱＩ／ＰＭＩ（広帯域及びサブバンド）、及びＳＲＳで構成され得る。
【００５１】
電力ヘッドルームレポートもしくはＣＱＩレポートのようなレポートは、チャネルの優先順位付け及び１つまたは複数の優先順位のルールを実行することに基づいて、ブロック８６０で生成される。その後レポートはブロック８７０で伝達される。ブロック８８０で、そのレポートに基づいて、第２の動作モードにおいて動作するための第２の構成インジケーションもしくは再スケジューリングされたリリースのインジケーションが受信される。ブロック８９０で、第２の動作モード（例えば、もし第１の動作モードが３ＧＰＰリリース１０である場合は３ＧＰＰリリース８）もしくは（１つまたは複数の）再スケジューリングされたリソースの利用の少なくとも１つが実行される。
【００５２】
図９は本明細書で説明される態様に従うユーザ機器構成と関連する模範的な論理を例示している。例示されているように、３ＧＰＰリリース８及び３ＧＰＰリリース１０のような２つの主要な動作モードが考慮され得る。ある実施例において、リリース８及びリリース１０の動作モードは機能のパッケージにとって同義である。電力制限された、及び電力制限されないアップリンク通信を可能にするもしくは提供する特定の動作モードのような、他の動作モードが考慮され得ることを当業者は認識することになる。ある例において、無線リソース制御（ＲＲＣ）メッセージはブロック９０２で受信される。ＲＲＣメッセージはＵＥのためのモードを構成し得る。もしリリース１０の動作（もしくは任意の３ＧＰＰリリース８以降の動作）がブロック９０４で構成される場合、電力制限されないレジームまたはシナリオ９０６が生じるべきか否かが決定される。しかしながらもし電力制限が、基地局から受信されたインジケーションによって運ばれるように、動作の間に生じた場合、ある特定の手順及びチャネルの優先順位付けが９０８でトリガされ得る。シングルキャリア構成に関して電力スケーリングのための１組の優先順位のルールが９１０で実行される。同様にマルチキャリア構成に関して、電力スケーリングのための別の組の優先順位のルールが９１２で適用される。
【００５３】
電力ヘッドルームレポートのようなレポートはブロック９１４で生成され得、ＵＥがアタッチされた基地局（例えば、基地局１１０）に伝達され得る。そのレポートは基地局に電力制限及び／もしくは他の動作条件（例えば、チャネル品質インジケータプレコーディングマトリクスインジケータのようなインジケータによって運ばれるような、以前の電力ヘッドルームレポート、チャネル品質条件）を知らせ得る。加えてこれらの量はメモリ１３８に保持され得る。少なくとも１つの電力ヘッドルームレポートを含み得る、そのような知識もしくは情報に基づいて基地局は、ＵＥ（例えば、１３０）のためのスケジューリング決定を調整もしくは修正することを決定し得、しかし例えば３ＧＰＰリリース１０のような最初にスケジューリングされた動作モードにおいてＵＥを維持するか、もしくは図９で例示されているような３ＧＰＰリリース８のモード９１６のような異種の動作モードにおいて動作するようにＵＥを再構成し得る。（例えば、リリース１０からリリース８への）動作モードの再構成は、電力ヘッドルームレポートが予め決められた閾値を超えるときに生じ得る。例えば、もし送信用のＵＥの電力要件に関してＵＥとｅノードＢとの間に不整合(misalignment)がある場合、その時ｅノードＢは、ＵＥが実際に送信できる電力よりも多くの電力を要求するＵＥに割り当てを与える場合がある。この場合、電力ヘッドルームはマイナス(negative)である。もしこの行為が頻繁に生じた場合、ｅノードＢは、より小さな電力及びもしくはより小さな電力バックオフを要求する動作モードにＵＥを置くことを決定し得る。
【００５４】
図１０は模範的なワイアレス通信システム１０００を例示する。システム１０００は第１の動作モードにおいて動作するための第１の構成インジケーションを受信するための（回路としても称される）電子回路１０１０、第１の動作モードの（１つまたは複数の）電力制御機能を確立するための回路１０２０、（１つまたは複数の）電力制御機能に少なくとも部分的に基づいてチャネルの優先順位付けをトリガするための回路１０３０、電力ヘッドルームレポートを供給するための回路１０４０、第２の動作モードにおいて動作するための第２の構成インジケーション、もしくは（１つまたは複数の）再スケジューリングされたリソースのインジケーションの少なくとも１つを受信するための回路１０５０、第２の動作モード、もしくは（１つまたは複数の）再スケジューリングされた電気通信リソースあるいは（１つまたは複数の）リソースの利用の少なくとも１つを実行するための回路１０６０を含む。模範的なワイアレス通信システム１０００は、説明された回路の一部であり得る少なくとも１つのプロセッサによって実行されるときにユーザ機器（例えば、ＵＥ１３０）の構成と関係して本明細書で説明される様々な態様もしくは機能を可能にするコード命令を含み得るメモリ１０７０も含む。
【００５５】
図１１Ａはユーザ機器を構成するための方法を例示する模範的なブロック図である。模範的な方法１１００において、第１の動作モードにおいて動作するための第１の構成インジケーションが、ブロック１１１０で受信される。次にブロック１１１２において第１の動作モードの電力制御動作機能が決定される。電力動作制御機能に少なくとも部分的に基づいてチャネルの優先順位付けはその後ブロック１１１４でトリガされる。
【００５６】
図１１Ｂはユーザ機器を構成するための方法を例示する模範的なブロック図である。模範的な方法１１０２において、第１の動作モードの電力制御動作機能がブロック１１２０で決定される。その後電力動作制御機能に少なくとも部分的に基づいて、チャネルの優先順位付けはその後ブロック１１２２でトリガされる。
【００５７】
ある構成において、ｅノードＢ１１０はワイアレス通信のために構成され、受信手段、決定手段、およびトリガ手段を含む。ある態様において、前述の受信手段は前述の手段によって記載された機能を実行するように構成されたプロセッサ４３０であり得る。別の態様において、前述の手段は前述の手段によって記載された機能を実行するように構成されたモジュールもしくは任意の装置であり得る。ある態様において、前述の決定手段は前述の手段によって記載された機能を実行するように構成されたプロセッサ４３０であり得る。別の態様において、前述の手段は前述の手段によって記載された機能を実行するように構成されたモジュール、もしくは任意の装置であり得る。ある態様において、前述のトリガ手段は前述の手段によって記載された機能を実行するように構成されたプロセッサ４３０であり得る。別の態様において前述の手段は前述の手段によって記載された機能を実行するように構成されたモジュールもしくは任意の装置であり得る。
【００５８】
ある実施例において、論理チャネルは制御チャネル及びトラフィックチャネルに分類される。論理制御チャネルは、システム制御情報を同報通信するためのダウンリンクチャネルである同報通信制御チャネル（ＢＣＣＨ）を備える。ページング制御チャネル（ＰＣＣＨ）はページング情報を転送するダウンリンクチャネルである。マルチキャスト制御チャネル（ＭＣＣＨ）は、マルチメディア同報通信及びマルチキャストサービス（ＭＢＭＳ）のスケジューリング、及び１つまたはいくつかのＭＴＣＨｓのための制御情報を送信するために使用されるポイントツーマルチポイント（ｐｏｉｎｔ−ｔｏ−ｍｕｌｔｉｐｏｉｎｔ）のダウンリンクチャネルである。概してＲＲＣ接続を確立した後このチャネルはＭＢＭＳ（注：旧ＭＣＣＨ＋ＭＳＣＨ）を受信するＵＥｓによってのみ使用される。専用制御チャネル（ＤＣＣＨ）は、専用制御情報を送信し、ＲＲＣ接続を有するＵＥｓによって使用されるポイントツーポイントの双方向チャネルである。論理トラフィックチャネルは、１つのＵＥの専用であり、ユーザ情報の転送のためのポイントツーポイントの双方向チャネルである専用トラフィックチャネル（ＤＴＣＨ）を備える。また、マルチキャストトラフィックチャネル（ＭＴＣＨ）は、トラフィックデータを送信するためのポイントツーマルチポイントのダウンリンクチャネルである。
【００５９】
トランスポートチャネルはダウンリンク及びアップリンクに分類される。ダウンリンクトランスポートチャネルは同報通信チャネル（ＢＣＨ）、ダウンリンク共有データチャネル（ダウンリンク―ＳＤＣＨ）、及びページングチャネル（ＰＣＨ）を備え、ＵＥの電力の節約のサポートのためのＰＣＨ（ＤＲＸサイクルはネットワークによってＵＥに指し示される）はセル全体に渡って同報通信され、他の制御／トラフィックチャネルのために使用され得るＰＨＹリソースにマッピングされる。アップリンクトランスポートチャネルは、ランダムアクセスチャネル（ＲＡＣＨ）、要求チャネル（ＲＥＱＣＨ）、アップリンク共有データチャネル（ＵＬ−ＳＤＣＨ）、及び複数のＰＨＹチャネルを備える。ＰＨＹチャネルは１組のダウンリンクチャネル及びアップリンクチャネルを備える。
【００６０】
ダウンリンクＰＨＹチャネルは、共通パイロットチャネル（ＣＰＩＣＨ）、同期チャネル（ＳＣＨ）、共通制御チャネル（ＣＣＣＨ）、共有ダウンリンク制御チャネル（ＳＤＣＣＨ）、マルチキャスト制御チャネル（ＭＣＣＨ）、共有ＵＬ割り当てチャネル（ＳＵＡＣＨ）、肯定応答チャネル（ＡＣＫＣＨ）、ダウンリンク物理共有データチャネル（ＤＬ−ＰＳＤＣＨ）、ＵＬ電力制御チャネル（ＵＰＣＣＨ）、ページングインジケータチャネル（ＰＩＣＨ）、及びロードインジケータチャネル（ＬＩＣＨ）を備える。
【００６１】
ＵＬ  ＰＨＹチャネルは、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、及びブロードバンドパイロットチャネル（ＢＰＩＣＨ）を備える。
【００６２】
他の用語は、３Ｇ第３世代、３ＧＰＰ第３世代パートナーシッププロジェクト、ＡＣＬＲ隣接チャネル漏洩電力比、ＡＣＰＲ隣接チャネル電力比、ＡＣＳ隣接チャネル選択度、ＡＤＳ高度設計システム、ＡＭＣ適応変調符号化、Ａ−ＭＰＲ追加最大パワー低減、ＡＲＱ自動再送信要求、ＢＣＣＨ同報通信制御チャネル、ＢＴＳ基地トランシーバ局、ＣＤＤ巡回遅延ダイバーシチ、ＣＣＤＦ相補累積分布関数、ＣＤＭＡ符号分割多元接続、ＣＦＩ制御フォーマットインジケータ、Ｃｏ−ＭＩＭＯ協調ＭＩＭＯ、ＣＰサイクリックプレフィックス、ＣＰＩＣＨ共通パイロットチャネル、ＣＰＲＩ共通パブリック無線インタフェース、ＣＱＩチャネル品質インジケータ、ＣＲＣ巡回冗長検査、ＤＣＩダウンリンク制御インジケータ、ＤＦＴ離散フーリエ変換、ＤＦＴ−ＳＯＦＤＭ離散フーリエ変換拡散ＯＦＤＭ、ダウンリンク（基地局から加入者への送信）、ＤＬ−ＳＣＨダウンリンク共有チャネル、Ｄ−ＰＨＹ５００Ｍｂｐｓ物理レイヤ、ＤＳＰデジタル信号処理、ＤＴ開発ツールセット（Ｄｅｖｅｌｏｐｍｅｎｔ  ｔｏｏｌｓｅｔ）、ＤＶＳＡデジタルベクトル信号分析、ＥＤＡ電子設計自動化、Ｅ−ＤＣＨ拡張専用チャネル、Ｅ−ＵＴＲＡＮ進化型ＵＭＴＳ地上無線アクセスネットワーク、ｅＭＢＭＳ進化型マルチメディア同報通信マルチキャストサービス、ｅＮＢ進化型ノードＢ、ＥＰＣ発展型パケットコア網、ＥＰＲＥリソースエレメント当たりのエネルギー、ＥＴＳＩ欧州電気通信規格協会、Ｅ−ＵＴＲＡ進化型ＵＴＲＡ、Ｅ−ＵＴＲＡＮ進化型ＵＴＲＡＮ、ＥＶＭエラーベクトル振幅、ＦＤＤ周波数分割複信を含む。
【００６３】
さらに、またほかの用語は、ＦＦＴ高速フーリエ変換、ＦＲＣ固定基準チャネル、ＦＳ１フレーム構造タイプ１、ＦＳ２フレーム構造タイプ２、ＧＳＭ（登録商標）移動通信のためのグローバルシステム、ＨＡＲＱハイブリッド自動再送要求、ＨＤＬハードウェア記述言語、ＨＩ  ＨＡＲＱインジケータ、ＨＳＤＰＡ高速ダウンリンクパケットアクセス、ＨＳＰＡ高速パケットアクセス、ＨＳＵＰＡ高速アップリンクパケットアクセス、ＩＦＦＴ逆ＦＦＴ、ＩＯＴ相互運用性テスト、ＩＰインターネットプロトコル、ＬＯ局部発振器、ＬＴＥロングタームエボリューション、ＭＡＣ媒体アクセス制御、ＭＢＭＳマルチメディア同報通信マルチキャストサービス、ＭＢＳＦＮマルチキャスト同報通信単一周波数ネットワーク、ＭＣＨマルチキャストチャネル、ＭＩＭＯ多入力多出力、ＭＩＳＯ多入力単一出力、ＭＭＥモビリティ管理エンティティ、ＭＯＰ最大出力電力、ＭＰＲ最大電力低減、ＭＵ−ＭＩＭＯ複数ユーザＭＩＭＯ、ＮＡＳ非アクセス階層、ＯＢＳＡＩオープン（ｏｐｅｎ）基地局アーキテクチャインタフェース、ＯＦＤＭ直交周波数分割多重、ＯＦＤＭＡ直交周波数分割多元接続、ＰＡＰＲピーク対平均電力比、ＰＡＲピーク対平均比、ＰＢＣＨ物理報知チャネル、Ｐ−ＣＣＰＣＨプライマリ共通制御物理チャネル、ＰＣＦＩＣＨ物理制御フォーマット通知チャネル、ＰＣＨページングチャネル、ＰＤＣＣＨ物理ダウンリンク制御チャネル、ＰＤＣＰパケット・データ・コンバージェンス・プロトコル、ＰＤＳＣＨ物理ダウンリンク共用チャネル、ＰＨＩＣＨ物理ハイブリットＡＲＱインジケータチャネル、ＰＨＹ物理レイヤ、ＰＲＡＣＨ物理ランダムアクセチャネル、ＰＭＣＨ物理マルチキャストチャネル、ＰＭＩプレコーディングマトリクスインジケータ、Ｐ−ＳＣＨ優先同期信号、ＰＵＣＣＨ物理アップリンク制御チャネル、及びＰＵＳＣＨ物理アップリンク共有チャネルを含む。
【００６４】
他の用語は、ＱＡＭ直交振幅変調、ＱＰＳＫ４相位相偏移変調、ＲＡＣＨランダムアクセスチャネル、ＲＡＴ無線アクセス技術、ＲＢリソースブロック、ＲＦ無線周波数、ＲＦＤＥ  ＲＦ設計環境、ＲＬＣ無線リンク制御、ＲＭＣ基準測定チャネル、ＲＮＣ無線ネットワークコントローラ、ＲＲＣ無線リソース制御、ＲＲＭ無線リソース管理、ＲＳ基準信号、ＲＳＣＰ受信信号コード電力、ＲＳＲＰ基準信号受信電力、ＲＳＲＱ基準信号受信品質、ＲＳＳＩ受信信号強度インジケータ、ＳＡＥシステムアーキテクチャエボリューション、ＳＡＰサービスアクセスポイント、ＳＣ−ＦＤＭＡシングルキャリア周波数分割多元接続、ＳＦＢＣ空間−周波数ブロック符号化、Ｓ−ＧＷサービスゲートウェイ、ＳＩＭＯ単一入力多出力、ＳＩＳＯ単一入力単一出力、ＳＮＲ信号対雑音比、ＳＲＳサウンディング基準信号、Ｓ−ＳＣＨ二次的同期信号、ＳＵ−ＭＩＭＯ単一ユーザＭＩＭＯ、ＴＤＤ時分割デュプレックス、ＴＤＭＡ時分割多元接続、ＴＲテクニカルレポート、ＴｒＣＨトランスポートチャネル、ＴＳ技術仕様、ＴＴＡ電気通信技術協会、ＴＴＩ送信時間間隔、ＵＣＩアップリンク制御インジケータ、ＵＥユーザ機器、アップリンク（加入者から基地局への送信）、ＵＬ−ＳＣＨアップリンク共有チャネル、ＵＭＢウルトラモバイルブロードバンド、ＵＭＴＳユニバーサルモバイル通信システム、ＵＴＲＡユニバーサル地上無線アクセス、ＵＴＲＡＮユニバーサル地上無線アクセスネットワーク、ＶＳＡベクトルシグナルアナライザ、Ｗ−ＣＤＭＡ広帯域符号分割多元接続を含む。
【００６５】
様々な態様が端末と関係して本明細書で説明されることは留意されたい、端末はまた、システム、ユーザデバイス、加入者ユニット、加入者局、移動局、移動デバイス、遠隔局、遠隔端末、アクセス端末、ユーザ端末、ユーザエージェント、もしくはユーザ機器としても称され得る。ユーザデバイスはセルラー電話、コードレス電話、セッション確立プロトコル（ＳＩＰ）電話、ワイアレスローカルループ（ＷＬＬ）局、ＰＤＡ、ワイアレス接続能力を有する手持ち式のデバイス、端末内のモジュール、ホストのデバイス内に一体化され得る、もしくはホストのデバイスにアタッチされ得るカード（例えば、ＰＣＭＣＩＡカード）もしくはワイアレスモデムに接続された他の処理デバイスであり得る。
【００６６】
さらには特許請求の範囲における主題の態様は、その特許請求の範囲における主題の様々な態様を実行するためにコンピュータ、もしくはコンピューティングコンポーネントを制御するための、ソフトウェア、ファームウェア、ハードウェア、もしくはそれらの任意の組み合わせを生み出す標準のプログラム及び／もしくは工学技法を使用する方法、装置もしくは製造の物品として実行され得る。「製造の物品」という用語は、本明細書で使用されているように、任意のコンピュータ読み取り可能デバイス、キャリア、媒体からアクセス可能なコンピュータプログラムを包含するように意図される。例えば、コンピュータ読み取り可能媒体は磁気記憶デバイス（例えば、ハードディスク、フロッピーディスク、磁気ストリップなど）、光学ディスク（例えば、コンパクトディスク（ＣＤ）、デジタルバーサタイルディスク（ＤＶＤ）など）、スマートカード、フラッシュメモリデバイス（例えば、カード、スティック、キーデバイスなど）に限定はされないが含み得る。加えて、キャリア波は、ボイスメールを送信及び受信する際に、もしくはセルラーネットワークのようなネットワークにアクセスする際に使用されるもののようなコンピュータ読み取り可能電子データを搬送するために用いられ得ることは認識されるべきである。もちろん、多くの変更が、本明細書で説明されることの趣旨もしくは範囲から逸脱することなく、この構成になされ得ることに当業者は気づくだろう。
【００６７】
上記で説明されてきたことは１つまたは複数の実施例の例を含む。もちろん、前述の実施例を説明する目的のためにコンポーネントもしくは方法の全ての考えられ得る組み合わせを説明することは可能ではなく、しかし当業者は様々な実施例の多くの更なる組み合わせ及び置換が可能であることに気づき得る。従って説明された実施例は、添付の特許請求の範囲の趣旨及び範囲内に収まるすべてのそのような交代、変更、及び変化を包含するように意図される。さらには「含む」という用語は詳細な説明、もしくは特許請求の範囲のどちらかで使用されている範囲で、そのような用語は、「備える」が請求項において接続的な言葉として用いられるときに解釈されるような「備える」という用語に類似した形で非排他的であることが意図されている。
以下に本願出願当初の特許請求の範囲に記載された発明を付記する。
［Ｃ１］
第１のモードにおけるユーザ機器（ＵＥ）の動作を指し示す第１の構成を受信することと、
前記第１の動作モードの電力動作制御機能を決定することと、
前記電力動作制御機能に少なくとも部分的に基づいてチャネルの優先順位付けをトリガすることと、
前記第１の動作モードから生じる状態のＵＥにより生成されたレポートに基づく、第２のモードにおけるＵＥの動作を指し示す第２の構成を受信することと、
前記第２の動作モードを実行することと、
を備える、ワイアレス通信のための方法。
［Ｃ２］
前記決定することが、前記ＵＥが電力制限されているかどうかに応じて、前記第１の動作モードの電力動作制御機能を決定することを備える、Ｃ１に記載の方法。
［Ｃ３］
チャネルの優先順位付けをトリガすることはまた、どのチャネルが送信されているか、ならびに前記ＵＥがシングルキャリアのフォーマットで構成されているかどうかにも基づく、Ｃ１に記載の方法。
［Ｃ４］
前記第１の動作モードが３ＧＰＰリリース１０であり、前記第２の動作モードが３ＧＰＰリリース８／９であり、ここにおいてそれぞれの動作モードがリリース特有の機能を含む、Ｃ１に記載の方法。
［Ｃ５］
前記レポートが電力ヘッドルームレポート、ＣＱＩ（チャネル品質インジケータ）レポート、及び測定レポートの少なくとも１つを備える、Ｃ１に記載の方法。
［Ｃ６］
前記チャネルの優先順位付けは電力スケーリングを有するシングルキャリアの優先順位のルール及び電力スケーリングを有するマルチキャリアの優先順位のルールの１つを含む、Ｃ１に記載の方法。
［Ｃ７］
前記チャネルの優先順位付けは、物理アップリンク共有チャネル（ＰＵＳＣＨ）上の無線リソース制御（ＲＲＣ）シグナリング及びメディアアクセス制御（ＭＡＣ）シグナリング、物理アップリンク制御チャネル（ＰＵＣＣＨ）送信、及び非ＲＲＣ／ＭＡＣの物理アップリンク共有チャネル（ＰＵＳＣＨ）送信として、高い順位から低い順位への順序で、送信のための優先順位を割り当てる、Ｃ６に記載の方法。
［Ｃ８］
優先順位のルールの階層が、誤り訂正フィードバック信号、スケジューリング要求、ランクインジケータ、チャネル品質インジケータ（ＣＱＩ）レポート／プレコーディングマトリクスインジケータ（ＰＭＩ）信号、及びサウンディング基準信号として、高い優先順位から低い優先順位で、前記物理アップリンク制御チャネル（ＰＵＣＣＨ）内で構成される、Ｃ７に記載の方法。
［Ｃ９］
電力ヘッドルームレポートが予め決められた閾値を超えるとき、前記第１のモードから前記第２のモードへ動作モードを再構成することをさらに備える、Ｃ１に記載の方法。
［Ｃ１０］
ユーザ機器（ＵＥ）の第１の動作モードの電力動作制御機能を決定することと、
前記電力動作制御機能に少なくとも部分的に基づいてチャネルの優先順位付けをトリガすることと、
前記第１の動作モードから生じる状態のＵＥにより生成されたレポートに基づく、第２のモードにおけるＵＥの動作を指し示す第２の構成を受信することと、
前記第２の動作モードを実行することと、
を備えるワイアレス通信のための方法。
［Ｃ１１］
前記決定することが、前記ＵＥが電力制限されているかどうかに応じて、前記第１の動作モードの電力動作制御機能を決定することを備える、Ｃ１０に記載の方法。
［Ｃ１２］
チャネルの優先順位付けをトリガすることはまた、どのチャネルが送信されているか、ならびに前記ＵＥがシングルキャリアのフォーマットで構成されているかどうかにも基づく、Ｃ１０に記載の方法。
［Ｃ１３］
前記第１の動作モードが３ＧＰＰリリース１０であり、前記第２の動作モードが３ＧＰＰリリース８／９であり、ここにおいてそれぞれの動作モードがリリース特有の機能を含む、Ｃ１０に記載の方法。
［Ｃ１４］
前記レポートが電力ヘッドルームレポート、ＣＱＩ（チャネル品質インジケータ）レポート、及び測定レポートの少なくとも１つを備える、Ｃ１０に記載の方法。
［Ｃ１５］
前記チャネルの優先順位付けは電力スケーリングを有するシングルキャリアの優先順位のルール及び電力スケーリングを有するマルチキャリアの優先順位のルールの１つを含む、Ｃ１０に記載の方法。
［Ｃ１６］
前記チャネルの優先順位付けは、物理アップリンク共有チャネル（ＰＵＳＣＨ）上の無線リソース制御（ＲＲＣ）シグナリング及びメディアアクセス制御（ＭＡＣ）シグナリング、物理アップリンク制御チャネル（ＰＵＣＣＨ）送信、及び非ＲＲＣ／ＭＡＣの物理アップリンク共有チャネル（ＰＵＳＣＨ）送信として、高い順位から低い順位への順序で、送信のための優先順位を割り当てる、Ｃ１５に記載の方法。
［Ｃ１７］
優先順位のルールの階層が、誤り訂正フィードバック信号、スケジューリング要求、ランクインジケータ、チャネル品質インジケータ（ＣＱＩ）レポート／プレコーディングマトリクスインジケータ（ＰＭＩ）信号、及びサウンディング基準信号として、高い優先順位から低い優先順位で、前記物理アップリンク制御チャネル（ＰＵＣＣＨ）内で構成される、Ｃ１６に記載の方法。
［Ｃ１８］
電力ヘッドルームレポートが予め決められた閾値を超えるとき、前記第１のモードから前記第２のモードへ動作モードを再構成することをさらに備える、Ｃ１０に記載の方法。
［Ｃ１９］
第１の動作モードの電力動作制御機能を決定するための手段と、
前記電力動作制御機能に少なくとも部分的に基づいてチャネルの優先順位付けをトリガするための手段と、
前記第１の動作モードから生じる状態のＵＥにより生成されたレポートに基づく、第２のモードにおけるＵＥの動作を指し示す第２の構成を受信するための手段と、
前記第２の動作モードを実行するための手段と、
を備える、ワイアレス通信のための装置。
［Ｃ２０］
前記第１のモードにおけるユーザ機器（ＵＥ）の動作を指し示す第１の構成を受信するための手段をさらに備える、Ｃ１９に記載の装置。
［Ｃ２１］
前記決定するための手段が、前記ＵＥが電力制限されているかどうかに応じて、前記第１の動作モードの電力動作制御機能を決定することを備える、Ｃ１９に記載の装置。
［Ｃ２２］
チャネルの優先順位付けをトリガするための前記手段はまた、どのチャネルが送信されているか、ならびに前記ＵＥがシングルキャリアのフォーマットで構成されているかどうかにも基づいてトリガする、Ｃ１９に記載の装置。
［Ｃ２３］
前記第１の動作モードが３ＧＰＰリリース１０であり、前記第２の動作モードが３ＧＰＰリリース８／９であり、ここにおいてそれぞれの動作モードがリリース特有の機能を含む、Ｃ１９に記載の装置。
［Ｃ２４］
前記レポートが電力ヘッドルームレポート、ＣＱＩ（チャネル品質インジケータ）レポート、及び測定レポートの少なくとも１つを備える、Ｃ１９に記載の装置。
［Ｃ２５］
前記チャネルの優先順位付けは電力スケーリングを有するシングルキャリアの優先順位のルール及び電力スケーリングを有するマルチキャリアの優先順位のルールの１つを含む、Ｃ１９に記載の装置。
［Ｃ２６］
前記チャネルの優先順位付けは、物理アップリンク共有チャネル（ＰＵＳＣＨ）上の無線リソース制御（ＲＲＣ）シグナリング及びメディアアクセス制御（ＭＡＣ）シグナリング、物理アップリンク制御チャネル（ＰＵＣＣＨ）送信、及び非ＲＲＣ／ＭＡＣの物理アップリンク共有チャネル（ＰＵＳＣＨ）送信として、高い順位から低い順位への順序で、送信のための優先順位を割り当てる、Ｃ２５に記載の装置。
［Ｃ２７］
優先順位のルールの階層が、誤り訂正フィードバック信号、スケジューリング要求、ランクインジケータ、チャネル品質インジケータ（ＣＱＩ）レポート／プレコーディングマトリクスインジケータ（ＰＭＩ）信号、及びサウンディング基準信号として、高い優先順位から低い優先順位で、前記物理アップリンク制御チャネル（ＰＵＣＣＨ）内で構成される、Ｃ２６に記載の装置。
［Ｃ２８］
電力ヘッドルームレポートが予め決められた閾値を超えるとき、前記第１のモードから前記第２のモードへ動作モードを再構成するための手段をさらに備える、Ｃ１９に記載の装置。
［Ｃ２９］
プログラムコードを記憶したコンピュータ読み取り可能媒体
を備える、ワイアレスネットワークにおけるワイアレス通信のためのコンピュータプログラム製品であって、前記プログラムコードは、
第１の動作モードの電力動作制御機能を決定するためのプログラムコードと、
前記電力動作制御機能に少なくとも部分的に基づいてチャネルの優先順位付けをトリガするためのプログラムコードと、
前記第１の動作モードから生じる状態のＵＥにより生成されたレポートに基づく第２の構成を受信するためのプログラムコードと、前記第２の構成は第２のモードにおけるＵＥの動作を指し示し、
前記第２の動作モードを実行するためのプログラムコードと、
を備える、コンピュータプログラム製品。
［Ｃ３０］
前記プログラムコードが、前記第１のモードにおけるユーザ機器（ＵＥ）の動作を指し示す第１の構成を受信するためのプログラムコードをさらに備える、Ｃ２９に記載のコンピュータプログラム製品。
［Ｃ３１］
チャネルの優先順位付けをトリガするための前記プログラムコードはまた、どのチャネルが送信されているか、ならびに前記ＵＥがシングルキャリアのフォーマットで構成されているかどうかにも基づく、Ｃ２９に記載のコンピュータプログラム製品。
［Ｃ３２］
前記第１の動作モードの電力動作制御機能を決定するための前記プログラムコードは、前記ＵＥが電力制限されているかどうかに応じる、Ｃ２９に記載のコンピュータプログラム製品。
［Ｃ３３］
前記第１の動作モードが３ＧＰＰリリース１０であり、前記第２の動作モードが３ＧＰＰリリース８／９であり、ここにおいてそれぞれの動作モードがリリース特有の機能を含む、Ｃ２９に記載のコンピュータプログラム製品。
［Ｃ３４］
前記チャネルの優先順位付けは電力スケーリングを有するシングルキャリアの優先順位のルール及び電力スケーリングを有するマルチキャリアの優先順位のルールの１つを含むＣ２９に記載のコンピュータプログラム製品。
［Ｃ３５］
メモリと、
前記メモリに連結された少なくとも１つのプロセッサと、
を備えるワイアレス通信のための装置であって、前記少なくとも１つのプロセッサが、
第１の動作モードの電力動作制御機能を決定するように、
前記電力動作制御機能に少なくとも部分的に基づいてチャネルの優先順位付けをトリガするように、
前記第１の動作モードから生じる状態のＵＥにより生成されたレポートに基づく第２の構成を受信するように、前記第２の構成が第２のモードにおけるＵＥの動作を指し示し、
前記第２の動作モードを実行するように、
構成された、装置。
［Ｃ３６］
前記プロセッサが前記第１のモードにおけるユーザ機器（ＵＥ）の動作を指し示す第１の構成を受信するようにさらに構成された、Ｃ３５に記載の装置。
［Ｃ３７］
前記プロセッサが、前記ＵＥが電力制限されているかどうかに応じて、前記第１の動作モードの電力動作制御機能を決定するようにさらに構成された、Ｃ３５に記載の装置。
［Ｃ３８］
前記チャネルの優先順位付けをトリガすることはまた、どのチャネルが送信されているか、ならびに前記ＵＥがシングルキャリアのフォーマットで構成されているかどうかにも基づく、Ｃ３５に記載の装置。
［Ｃ３９］
前記第１の動作モードが３ＧＰＰリリース１０であり、前記第２の動作モードが３ＧＰＰリリース８／９であり、ここにおいてそれぞれの動作モードがリリース特有の機能を含む、Ｃ３５に記載の装置。
［Ｃ４０］
前記レポートが電力ヘッドルームレポート、ＣＱＩ（チャネル品質インジケータ）レポート、及び測定レポートの少なくとも１つを備える、Ｃ３５に記載の装置。
［Ｃ４１］
前記チャネルの優先順位付けは電力スケーリングを有するシングルキャリア優先順位のルール及び電力スケーリングを有するマルチキャリア優先順位のルールの１つを含むＣ３５に記載の装置。
［Ｃ４２］
前記チャネルの優先順位付けは、物理アップリンク共有チャネル（ＰＵＳＣＨ）上の無線リソース制御（ＲＲＣ）シグナリング及びメディアアクセス制御（ＭＡＣ）シグナリング、物理アップリンク制御チャネル（ＰＵＣＣＨ）送信、及び非ＲＲＣ／ＭＡＣの物理アップリンク共有チャネル（ＰＵＳＣＨ）送信として、高い順位から低い順位への順序で、送信のための優先順位を割り当てる、Ｃ４１に記載の装置。
［Ｃ４３］
優先順位のルールの階層が、誤り訂正フィードバック信号、スケジューリング要求、ランクインジケータ、チャネル品質インジケータ（ＣＱＩ）レポート／プレコーディングマトリクスインジケータ（ＰＭＩ）信号、及びサウンディング基準信号として、高い優先順位から低い優先順位で、物理アップリンク制御チャネル（ＰＵＣＣＨ）内で構成された、Ｃ４２に記載の装置。
［Ｃ４４］
前記プロセッサが、電力ヘッドルームレポートが予め決められた閾値を超えるとき、前記第１のモードから前記第２のモードへ動作モードを再構成するようにさらに構成された、Ｃ３５に記載の方法。
【図１】
0005639196.tif 000002
【図２】
0005639196.tif 000003
【図３】
0005639196.tif 000004
【図４】
0005639196.tif 000005
【図５Ａ】
0005639196.tif 000006
【図５Ｂ】
0005639196.tif 000007
【図６】
0005639196.tif 000008
【図７】
0005639196.tif 000009
【図８】
0005639196.tif 000010
【図９】
0005639196.tif 000011
【図１０】
0005639196.tif 000012
【図１１Ａ】
0005639196.tif 000013
【図１１Ｂ】
0005639196.tif 000014